(57)【要約】 【課題】  画素回路にメモリ回路を有する電気光学装置の低消費電力化を図る。【解決手段】  画素回路２００は、インバータ回路２２６、２２８からなるメモリ回路と、１垂直走査期間毎に極性反転する電圧Ｖcomが印加される対向電極２４４と、画素電極２４２とを含み、動作モードとして表示モードまたは点滅モードとなる。表示モードの場合、第１フレーム信号Ｆａ−ｉと第２フレーム信号Ｆｂ−ｉとが逆相関係となり、画素電極２４２には、オンを指定する表示データが保持されていれば、対向電極２４４に印加される電圧とは逆極性の電圧が印加される。一方、点滅モードであれば、第１フレーム信号Ｆａ−ｉと第２フレーム信号Ｆｂ−ｉとが逆相関係と同相関係とを交互に繰り返し、同相関係となる期間、画素電極２４２には、保持されている表示データにかかわらず、対向電極２４４に印加される電圧とは同一の電圧が印加されて、オフ表示となる。【選択図】    図２
2006084847.tif 000002
【特許請求の範囲】
【請求項１】
走査線とデータ線との交差に対応して画素回路が配列する電気光学装置であって、
前記画素回路は、メモリ回路と、対向電極と、画素電極とを含み、
前記メモリ回路は、前記走査線が選択されたときに前記データ線に供給されたデータを記憶し、
前記対向電極は、前記画素電極と電気光学材料を介して対向し、当該対向電極には、所定の周期で極性反転する電圧が印加され、
前記画素電極には、前記メモリ回路に記憶されたデータに応じた電圧が前記画素電極に印加される際に、表示モードの場合は前記対向電極に印加される電圧に対して反転したレベルを有する電圧が印加される一方、点滅モードの場合は前記対向電極に印加される電圧に対して反転したレベルを有する電圧と前記対向電極に印加される電圧と同一レベルの電圧とが交互に印加される
ことを特徴とする電気光学装置。
【請求項２】
前記メモリ回路は、オンまたはオフを指示する１ビットデータを記憶するものであり、
前記画素電極には、
前記表示モードである場合であって、前記メモリ回路に記憶された１ビットデータがオンを指示するとき、前記対向電極に印加される電圧を反転したレベルを有する関係にある信号が印加され、オフを指示するとき、前記対向電極に印加される電圧と同一レベルの関係にある信号が印加される一方、
前記点滅モードである場合であって、前記１ビットデータがオンを指示するとき、前記対向電極に印加される電圧に対して反転したレベルを有する関係にある信号と同一レベルの関係にある信号とが印加され、オフを指示するとき、前記対向電極に印加される電圧と同一レベルの関係にある信号が印加される
ことを特徴とする請求項１に記載の電気光学装置。
【請求項３】
前記メモリ回路は、オンまたはオフを指示する１ビットデータを記憶するものであり、
前記画素電極に対し、前記表示モードである場合、前記メモリ回路に記憶された１ビットデータに応じて、前記対向電極に印加される電圧と同一レベルまたは反転したレベルを有する関係にある信号のいずれかを選択して印加する一方、前記点滅モードである場合、前記メモリ回路に記憶された１ビットデータにかかわらず、前記対向電極に印加される電圧と同一レベルの関係にある信号を印加するスイッチ回路を有する
ことを特徴とする請求項１に記載の電気光学装置。
【請求項４】
互いに隣接する複数の走査線、複数のデータ線、または、複数の画素回路をブロックとして、前記表示モードまたは前記非表示モードのいずれかを前記ブロック毎に設定する
ことを特徴とする請求項１に記載の電気光学装置。
【請求項５】
走査線とデータ線との交差に対応して画素回路が配列し、
前記画素回路は、メモリ回路と、対向電極と、画素電極とを含み、
前記メモリ回路は、前記走査線が選択されたときに前記データ線に供給されたデータを記憶し、
前記対向電極は、前記画素電極と電気光学材料を介して対向する電気光学装置の駆動方法であって、
当該対向電極に対し、所定の周期で極性反転する電圧を印加し、
前記画素電極には、前記メモリ回路に記憶されたデータに応じた電圧を、表示モードの場合は対向電極に印加される電圧に対して反転したレベルを印加する一方、点滅モードの場合は対向電極に印加される電圧に対して反転したレベルと同一レベルとを交互に印加する
ことを特徴とする電気光学装置の駆動方法。
【請求項６】
請求項１乃至４のいずれかに記載の電気光学装置を表示部に有することを特徴とする電子機器。
【発明の詳細な説明】
【技術分野】
【０００１】
本発明は、電気光学装置について低消費電力化を図る技術に関する。
【背景技術】
【０００２】
携帯可能な電子機器には、薄型化や軽量化などが要求されるので、電子機器の表示装置には、この要求に適した電気光学素子、特に液晶素子が用いられる。このような電気光学素子を用いた表示装置は、もともと低消費電力であるが、近年の電子機器には、連続使用時間の拡大や電池の小型化など様々な理由により、表示装置単体のさらなる低消費電力化も強く求められている。
従来の電気光学装置では、表示内容に関係なく、１垂直走査期間（フィールド）毎に各画素の状態を書き換えるので、各画素を駆動する駆動回路やその制御回路などによって電力が消費されて、低消費電力化を阻害する要因があった。
そこで、この阻害要因を排除するため、走査線とデータ線との交差部分に設けられる画素回路に、走査線が選択されたときにデータ線の電圧を保持するメモリ回路を持たせるとともに、メモリ回路に保持された内容に応じて、ノーマリーホワイトモードであれば交流駆動のための黒信号線、または、オフとさせる白信号線のいずれかを選択して画素電極に印加する構成が提案されている（特許文献１参照）。
上記構成では、表示内容に変更がない画素に対してデータを書き換えないで済むので、ある程度、低消費電力化が図られる。
【特許文献１】特開平８−２８６１７０号公報（図１参照）
【発明の開示】
【発明が解決しようとする課題】
【０００３】
しかしながら、上記構成において、例えば時刻表示における「：」（コロン）などのブリンク（点滅）表示などをする場合、当該点滅部分の画素に対してデータを書き換える必要が生じる。この書き換えを低周波数で実行する構成とすれば、消費電力を抑えることができるが、表示の書き換えが視認されてしまうので、書き換え速度を低下させることができない。このため、書き換えを指示するＣＰＵなどの上位回路の駆動周波数については一定値以上を維持しなければならず、そのため低消費電力化を阻害する要因となる。
本発明は上述した事情に鑑みてなされたもので、その目的とするところは、画素回路内にメモリ回路を持たせた構成において、さらなる低消費電力化を図ることが可能な電気光学装置、電気光学装置の駆動方法および電子機器を提供することにある。
【課題を解決するための手段】
【０００４】
上記課題を解決するために、本発明は、走査線とデータ線との交差に対応して画素回路が配列する電気光学装置であって、前記画素回路は、メモリ回路と、対向電極と、画素電極とを含み、前記メモリ回路は、前記走査線が選択されたときに前記データ線に供給されたデータを記憶し、前記対向電極は、前記画素電極と電気光学材料を介して対向し、当該対向電極には、所定の周期で極性反転する電圧が印加され、前記画素電極には、前記メモリ回路に記憶されたデータに応じた電圧が前記画素電極に印加される際に、表示モードの場合は前記対向電極に印加される電圧に対して反転したレベルを有する電圧が印加される一方、点滅モードの場合は前記対向電極に印加される電圧に対して反転したレベルを有する電圧と前記対向電極に印加される電圧と同一レベルの電圧とが交互に印加されることを特徴とする。まず、本発明では、画素回路の動作モードとして表示モードと点滅モードとを持たせる。点滅モードとされた画素回路では、画素電極に印加される電圧が、対向電極に印加される電圧とは逆極性と同極性とで交互に印加されることによって点滅表示となる。このため、点滅のためにメモリ回路のデータを書き換える必要がないので、その分、低消費電力化を図ることができる。なお、この発明において、メモリ回路は、スタティック型であることが望ましい。
【０００５】
本発明において、前記メモリ回路は、オンまたはオフを指示する１ビットデータを記憶するものであり、前記画素電極には、前記表示モードである場合であって、前記メモリ回路に記憶された１ビットデータがオンを指示するとき、前記対向電極に印加される電圧を反転したレベルを有する関係にある信号が印加され、オフを指示するとき、前記対向電極に印加される電圧と同一レベルの関係にある信号が印加される一方、前記点滅モードである場合であって、前記１ビットデータがオンを指示するとき、前記対向電極に印加される電圧に対して反転したレベルを有する関係にある信号と同一レベルの関係にある信号とが印加され、オフを指示するとき、前記対向電極に印加される電圧と同一レベルの関係にある信号が印加される構成が好ましい。
また、前記メモリ回路は、前記メモリ回路は、オンまたはオフを指示する１ビットデータを記憶するものであり、前記画素電極に対し、前記表示モードである場合、前記メモリ回路に記憶された１ビットデータに応じて、前記対向電極に印加される電圧と同一レベルまたは反転したレベルを有する関係にある信号のいずれかを選択して印加する一方、前記点滅モードである場合、前記メモリ回路に記憶された１ビットデータにかかわらず、前記対向電極に印加される電圧と同一レベルの関係にある信号を印加するスイッチ回路を有する構成が好ましい。
一方、本発明において、前記表示モードまたは前記非表示モードのいずれかを、互いに隣接する複数の走査線の画素回路毎に設定する構成としても良い。
なお、本発明は、電気光学装置の補正方法、および、電気光学装置としても概念することができる。さらに、本発明における電子機器は、上記電気光学装置を表示部として備えるので、装置全体として低消費電力化を図ることが可能となる。
【発明を実施するための最良の形態】
【０００６】
以下、本発明の実施形態について図面を参照して説明する。本実施形態に係る電気光学装置は、各種トランジスタや画素電極が形成された素子基板と、対向電極を有する透明な対向基板とが互いに一定の間隙を保って貼付され、この間隙に液晶が挟持された構成となっている。
【０００７】
図１は、この電気光学装置１０の電気的な構成を示すブロック図である。
図に示されるように、この電気光学装置１０では、画素回路２００が、横方向（Ｘ方向）に延設された３６０本の走査線１０２と、縦方向（Ｙ方向）に延設されたデータ線１１２ａ、１１２ｂの４８０組との各交差に対応して縦３６０行×横４８０列のマトリクス状に配列している。この画素回路２００の配列領域が表示領域２００ａとなる。
また、この電気光学装置１０では、データ線１１２ａ、１１２ｂの対と平行になるようにフレーム信号線１０４、１０８の対がＹ方向に延設されて、それぞれ第１フレーム信号および第２フレーム信号が供給されている。
ここで、１列目から４８０列目までのフレーム信号線１０４に供給される第１フレーム信号を、それぞれＦａ−１、Ｆａ−２、Ｆａ−３、…、Ｆａ−４８０と表記し、同様に、１列目から４８０列行目までのフレーム信号線１０８に供給される第２フレーム信号を、それぞれＦｂ−１、Ｆｂ−２、Ｆｂ−３、…、Ｆｂ−４８０と表記する。
【０００８】
制御回路１２は、図示しない上位回路によって表示内容に変更が生じた場合に、その変更が生じた画素を含む１行の書き換えを、Ｙドライバ１４に対して指定するとともに、その１行分の画素のオンまたはオンを指定する表示データをＸドライバ１６に供給するものである。ここで、本実施形態では、電圧無印加状態において画素が白色となるノーマリーホワイトモードとした場合に、画素のオフとは画素が白色となることをいい、反対に、画素のオンとは画素が黒色となることをいう。
また、制御回路１２は、後述するようにフレーム信号分配回路１８に対して、図示しない外部回路から供給されるフレーム信号Ｆａ、Ｆｂの分配を列ブロック毎に指定する。
【０００９】
Ｙドライバ１４は、制御回路１２によって指定された行の走査線１０２を選択するとともに、当該選択走査線１０２に対しＨレベルとなり、他の走査線１０２に対しＬレベルとなる走査信号を供給するものである。ここで、１行目から３６０行目までの走査線１０２に供給される走査信号を、図においてそれぞれＧＷＲ−１、ＧＷＲ−２、ＧＷＲ−３、…、ＧＷＲ−３６０と表記している。
Ｘドライバ１６は、選択された走査線１０２に位置する画素１行分の表示データを、データ線１１２ａを介して、画素回路２００に供給するものである。ここで、１列目から４８０列目までのデータ線１１２ａに供給される表示データを、それぞれＸ−１、Ｘ−２、Ｘ−３、…、Ｘ−４８０と表記する。また、Ｘドライバ１６は、表示データＸ−１、Ｘ−２、Ｘ−３、…、Ｘ−４８０とは、それぞれ論理反転の関係にある／Ｘ−１、／Ｘ−２、／Ｘ−３、…、／Ｘ−４８０についても、それぞれ１列目から４８０列目のデータ線１１２ａと組をなすデータ線１１２ｂに供給する。なお、信号記号前の「／」は、反転を示す。
【００１０】
フレーム信号分配回路１８は、上述したようにフレーム信号Ｆａ、Ｆｂを列ブロック毎に分配するものである。図３は、フレーム信号分配回路１８の構成を示す図である。
この図に示されるように、１列目から４８０列目までのフレーム信号線１０８には、フレーム信号Ｆｂが、第２フレーム信号Ｆｂ−１、Ｆｂ−２、…、Ｆｂ−４８０として共通に供給される。一方、フレーム信号線１０４は、１〜４列、５〜８列、…、４７７〜４８０列というように４列毎に同一系列の信号が供給されるように、ブロック化されている。
ここで、１〜４列、５〜８列、…、４７７〜４８０列を、それぞれ１、２、…、１２０番目のブロックとすると、各ブロックにおけるフレーム信号Ｆａ、Ｆｂの選択は、制御回路１２による選択信号Ｃｔ−１、Ｃｔ−２、…、Ｃｔ−１２０によって指定される。そして、各ブロックに設けられるスイッチ１８０は、入力端ａに供給されるフレーム信号Ｆａ、または、フレーム信号Ｆｂのいずれか一方を、制御回路１２による選択信号にしたがって選択して、第１フレーム信号としてフレーム信号線１０４に供給する構成となっている。
【００１１】
次に、画素回路２００の詳細について説明する。図２は、ｉ行ｊ列に位置する画素回路２００の構成を示す回路図である。ここで、ｉは、走査線１０２を特定せずに説明するための記号であり、１≦ｉ≦３６０を満たす整数である。同様に、ｊは、データ線１１２ａ、１１２ｂを特定せずに説明するための記号であり、１≦ｊ≦４８０を満たす整数である。
【００１２】
図２において、ｎチャネル型のトランジスタ２１２のゲートは、ｉ行目の走査線１０２に接続され、そのソースは、ｊ列目のデータ線１１２ａに接続されている。このトランジスタ２１２のドレインは、インバータ回路２２６の入力端、インバータ回路２２８の出力端、トランスファーゲート２３２の正入力端、および、トランスファーゲート２３４の負入力端にそれぞれ接続されている。
一方、ｎチャネル型のトランジスタ２１４のゲートは、ｉ行目の走査線１０２に接続され、そのソースは、ｊ列目のデータ線１１２ｂに接続されている。このトランジスタ２１４のドレインは、インバータ回路２２６の出力端、インバータ回路２２８の入力端、トランスファーゲート２３２の負入力端、および、トランスファーゲート２３４の正入力端にそれぞれ接続されている。
インバータ回路２２６の出力は、インバータ回路２２８の入力に帰還される一方、インバータ回路２２８の出力は、インバータ回路２２６の入力に帰還されているので、ｉ行目の走査線１０２が選択されて、トランジスタ２１２（２１４）がオンしたときに、データ線１１２ａ（１１２ｂ）を介して供給された表示データＸ−ｊ（／Ｘ−ｊ）は、トランジスタ２１２（２１４）がオフしたときでも、インバータ回路２２６、２２８によって保持・記憶される構成となっている。このため、本実施形態では、インバータ回路２２６、２２８によって一種のメモリ回路が構成されている。
【００１３】
トランスファーゲート２３２、２３４は、正入力端がＨレベル（負入力端がＬレベル）となったときに、入力端および出力端の間が導通（オン）状態となるアナログスイッチである。このうち、トランスファーゲート２３２の入力端はフレーム信号線１０４に接続され、また、トランスファーゲート２３４の入力端はフレーム信号線１０８に接続されて、両者の出力端は画素電極２４２に共通接続されている。
ここで、トランスファーゲート２３２の正入力端は、インバータ回路２２８の出力端（インバータ回路２２６の入力端）に接続され、トランスファーゲート２３４の正入力端は、インバータ回路２２６の出力端（インバータ回路２２８の入力端）に接続されているので、トランスファーゲート２３２、２３４は互いに排他的にオンする結果、第１フレーム信号Ｆａ−ｊ、または、第２フレーム信号Ｆｂ−ｊのいずれか一方を選択して、画素電極２４２に印加する。このため、トランスファーゲート２３２、２３４がスイッチ回路として機能する。
【００１４】
また、対向電極２４４が、画素電極２４２に対向するように全画素に対して共通に設けられるとともに、上記外部回路によって電圧Ｖcomが印加される。さらに、画素電極２４２と対向電極２４４との間に液晶層２４６が挟持されている。このため、画素毎に、画素電極２４２、対向電極２４４および液晶層２４６からなる液晶素子２４０が構成されることになる。
【００１５】
なお、特に図示はしないが、素子基板と対向基板との各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極２４２と対向電極２４４との間を通過する光は、液晶層２４６に印加される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させた場合、画素電極２４２に印加される電圧と対向電極２４４の電圧Ｖcomとの論理レベルが互いに同一であれば、光の透過率が最大となって白色（オフ）表示になる一方、両電圧の論理レベルが互いに反転の関係にあれば、光の透過率が最小となって黒色（オン）表示になる（ノーマリーホワイトモード）。
【００１６】
また、画素回路２００におけるトランジスタ２１２、２１４や、インバータ回路２２６、２２８、トランスファーゲート２３２、２３４における構成素子は、素子基板上に形成された薄膜トランジスタであり、Ｙドライバ１４、Ｘドライバ１６、フレーム信号分配回路１８におけるスイッチ１８０の構成素子と共通の製造プロセスで形成されて、すなわち、素子基板に内蔵されて、装置全体の小型化や低コスト化に寄与している。
【００１７】
次に、本実施形態に係る電気光学装置１０の動作について、時刻表示をする場合を例にとって説明する。なお、ここでいう時刻表示とは、例えば図４（ａ）および図４（ｂ）に示される表示を０．５秒ずつ交互に実行して、「：」（コロン）部分の点滅によって秒の刻みを示し、時分について点滅させないような表示をいう。ここで、表示領域２００ａにおいて「：」部分は、２３３〜２４８列目（ブロックで言えば５９〜６２番目）に位置するものとする。本実施形態では、この列範囲に属する画素回路２００を点滅モードで駆動させる。また、これ以外の１〜２３２列目および２４９〜４８０列目（ブロックで言えば１〜５８番目および６３〜１２０番目）の列範囲に属する画素回路２００を表示モード（通常の表示モード）で駆動させる。
【００１８】
図５は、この動作を説明するためのタイミングチャートである。この図に示されるように、外部回路から供給されるフレーム信号Ｆａ、Ｆｂの論理レベルは、互いに排他的であって、かつ、ともに１垂直走査期間（１Ｆ）毎に反転する。また、対向電極２４４に印加される電圧Ｖcomは、フレーム信号Ｆｂと同一論理の信号である。
【００１９】
まず、図４（ａ）の表示をする場合、制御回路１２は、表示モードであるか点滅モードであるかにかかわらず、すべてのスイッチ１８０に対して入力端ａを選択させるような選択信号Ｃｔ−１、Ｃｔ−２、…、Ｃｔ−１２０を出力する。
このため、フレーム信号分配回路１８では、すべてのスイッチ１８０が図３において実線で示されるように入力端ａを選択するので、「：」部分であるか否かに関係なく、第１フレーム信号Ｆａ−１〜Ｆａ−４８０のすべては、図５に示されるようにフレーム信号Ｆａと同一になる。
ここで、ｉ行ｊ列の画素回路２００において、表示データＸ−ｊとしてＨレベル（表示データ／Ｘ−ｊとしてＬレベル）がインバータ回路２２６、２２８によって保持されている場合、トランスファーゲート２３２がオンし、トランスファーゲート２３４がオフするので、画素電極２４２には、第１フレーム信号Ｆａ−ｊが印加される。また、対向電極２４４に印加される電圧Ｖcomは、フレーム信号Ｆａとは論理レベルが反転関係にあるフレーム信号Ｆｂと同一信号である。このため、当該画素回路２００における液晶素子２４０は、黒色（オン）表示となる。
一方、ｉ行ｊ列の画素回路２００において、表示データＸ−ｊとしてＬレベル（表示データ／Ｘ−ｊとしてＨレベル）がインバータ回路２２６、２２８によって保持されている場合、トランスファーゲート２３２がオフし、トランスファーゲート２３４がオンするので、画素電極２４２には、第２フレーム信号Ｆｂ−ｊが印加される。このため、当該画素回路２００における液晶素子２４０は、白色（オフ）表示となる。
【００２０】
図４（ａ）の表示が０．５秒間実行されると、今度は、制御回路１２は、表示モードの画素回路２００については保持された表示データに応じてオンまたはオフの表示をさせる一方、点滅モードの画素回路２００については保持された表示データとは無関係にオフの表示をさせるために次のような制御を行う。すなわち、制御回路１２は、図４（ｂ）の表示をするために、制御回路１２は、「：」部分以外の列ブロックに対応するスイッチ１８０に対しては入力端ａを選択させ、「：」の部分の列ブロックに対応するスイッチ１８０に対して入力端ｂを選択させるような選択信号Ｃｔ−１、Ｃｔ−２、…、Ｃｔ−１２０を出力する。
【００２１】
このため、フレーム信号分配回路１８では、「：」部分以外の列ブロックに対応するスイッチ１８０、すなわち、１〜５８番目および６３〜１２０番目の列ブロックに対応するスイッチ１８０は、入力端ａを選択するので、第１フレーム信号Ｆａ−１〜Ｆａ−２３２およびＦａ−２４９〜Ｆａ−４８０はフレーム信号Ｆａとなり、図５に示されるように、第２フレーム信号とは論理反転の関係が維持される。したがって、「：」部分以外の列ブロックに対応する画素は、図４（ａ）の表示時と同じ動作となり、表示データＸ−ｊ（／Ｘ−ｊ）にしたがって黒色（オン）または白色（オフ）表示となる。
【００２２】
一方、「：」部分の列示ブロックに対応するスイッチ１８０、すなわち、５９〜６２番目の列ブロックに対応するスイッチ１８０は、入力端ｂを選択するので、第１フレーム信号Ｆａ−２３３〜Ｆａ−２４８はフレーム信号Ｆｂとなり、図５に示されるように、第２フレーム信号とは同一論理の関係になる。
ここで、「：」部分の列ブロックにかかる画素、例えば１２０列目の画素回路２００において、表示データＸ−ｊとしてＨレベルがインバータ回路２２６、２２８によって保持されている場合、トランスファーゲート２３２、２３４がそれぞれオン、オフするので、画素電極２４２には、第１フレーム信号Ｆａ−２４０が印加される一方、表示データＸ−ｊとしてＬレベルがインバータ回路２２６、２２８によって保持されている場合、トランスファーゲート２３２、２３４がそれぞれオフ、オンするので、画素電極２４２には、第２フレーム信号Ｆｂ−２４０が印加される。「：」部分の他の列ブロックに属する行の画素回路２００についても同様である。
ただし、上述したように、「：」部分の列ブロックにおいて、第１フレーム信号Ｆａ−２３３〜Ｆａ−２４８と、第２フレーム信号Ｆｂ−２３３〜Ｆｂ−２４８とは同一論理レベルとなるので、インバータ回路２２６、２２８による表示データの保持内容にかかわらず、当該画素回路２００における液晶素子２４０は、白色（オフ）表示となる。
【００２３】
このため、本実施形態では、時刻表示をする場合に、全画素回路２００に対して表示データを書き換えることなく、「：」部分が点滅する。したがって、本実施形態によれば、「：」部分を点滅させる場合であっても、Ｘドライバ１４やＸドライバ１６を駆動させる必要がなくなるだけでなく、上位回路である例えばＣＰＵの負担が減るので、電気光学装置１０単体のみならず、装置全体で消費される電力も抑えることが可能となる。
また、（ｂ）表示の期間において、すべてのスイッチ１８０が入力端ｂを選択するような構成とすれば、「：」のみならず、時分についても、表示データを書き換えることなく、点滅させることが可能となる。
なお、実施形態では、時刻表示における「：」（場合によっては時分）を点滅させるような表示であったが、例えばメール等の着信を示すアイコンや、電池切れなどの警告マーク等を点滅させる表示にも適用可能である。
【００２４】
なお、上述した実施形態において画素回路２００は、オン（黒色）またはオフ（白色）表示の２値的な表示するものであったが、表示データを２ビット以上として、中間階調を指定するようにしても良い。そこで、例えば表示データを３ビットとする場合のｉ行ｊ列の画素回路２００について、図６を参照して説明する。
この図において、ビットＢ３、Ｂ２、Ｂ１からなる３ビットの表示データＸ−ｊは、３本のデータ線１１２を介して供給される。また、３つのトランジスタ２１２はゲートがｉ行目の走査線１０２に共通接続されて、当該走査線１０２が選択されたときに、３ビットの表示データＸ−ｊを取り込む。メモリ回路２２０は、取り込まれた３ビットの表示データＸ−ｊを保持して、Ｄ／Ａ変換回路２３０に供給する。Ｄ／Ａ変換回路２３０は、メモリ回路２２０によって保持された３ビットの表示データＸ−ｊをアナログ信号に変換して画素電極２４２に印加する。
このとき、Ｄ／Ａ変換回路２３０は、第１フレーム信号Ｆａ−ｊおよび第２フレーム信号Ｆｂ−ｊの論理レベルが互いに反転の関係にあって表示モードが指定されている場合、電圧Ｖcom（第２フレーム信号Ｆｂ−ｊ）がＬレベルであれば、Ｌレベルを基準としてアナログ信号をＨレベル方向（正極性方向）に極性変換し、電圧Ｖcom（第２フレーム信号Ｆｂ−ｊ）がＨレベルであれば、Ｈレベルを基準としてアナログ信号をＬレベル方向（負極性変換）に極性変換する一方、第１フレーム信号Ｆａ−ｊおよび第２フレーム信号Ｆｂ−ｊの論理レベルが互いに同一であって非表示モードが指定されている場合、保持された表示データＸ−ｊとは無関係に、当該第２フレーム信号Ｆｂ−ｊを画素電極２４２に印加するような構成であれば良い。
【００２５】
なお、実施形態においては、ブロックの単位を４本のデータ線としたが、これに限られない。また、実施形態にあっては、フレーム信号線１０４、１０８をデータ線１１２ａ、１１２ｂと略平行に延設して、表示／非表示の単位をデータ線としたが、点滅させる部分の表示内容によっては、フレーム信号線１０４、１０８を走査線１０２と略平行に延設して、表示／非表示の単位を走査線としても良い。また、表示領域２００ａを複数の領域に分割して、領域毎にフレーム信号線１０４、１０８を個別に供給する構成としても良い。
また、実施形態にあっては、画素回路２００において表示データの書き換えが必要となった場合に、当該画素回路２００に対応する走査線１０２を選択することによって、当該画素回路２００を含む１行分の書き換えを実行したが、Ｘ方向、Ｙ方向にそれぞれアドレス指定することによって、画素回路２００を単位として書き換える構成としても良い。
実施形態にあっては、フレーム信号Ｆａ、Ｆｂを１垂直走査期間毎にレベル反転することにより液晶素子２４０を交流駆動したが、本発明は、これに限られず、例えば、２垂直走査期間以上の期間でレベル反転する構成としても良い。また、実施形態においては、電気光学装置を透過型としたが、反射型としても良い。
【００２６】
次に、上述した電気光学装置１０を具体的な電子機器に用いた例について説明する。図７は、上記電気光学装置１０を表示部に適用した携帯電話の構成を示す斜視図である。
図において、携帯電話１２００は、複数の操作ボタン１２０２のほか、受話口１２０４、送話口１２０６とともに、電気光学装置１０を備えるものである。
【００２７】
なお、電子機器としては、図７を参照して説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルのような直視型装置や、縮小画像を形成して拡大投射するプロジェクタなどの投射型装置等などが挙げられる。
【図面の簡単な説明】
【００２８】
【図１】本発明の実施形態に係る電気光学装置の構成を示すブロック図である。
【図２】同電気光学装置における画素回路の構成を示す回路図である。
【図３】同電気光学装置におけるフレーム信号分配回路の構成を示す図である。
【図４】同電気光学装置における表示例を示す図である。
【図５】同電気光学装置の動作を説明するためのタイミングチャートである。
【図６】同電気光学装置における画素の別構成を示す図である。
【図７】同電気光学装置を適用した携帯電話の構成を示す斜視図である。
【符号の説明】
【００２９】
１０…電気光学装置、１０２…走査線、１０４、１０８…フレーム信号線、１１２ａ、１１２ｂ…データ線、２００…画素回路、２４２…画素電極、２４４…対向電極、２４６…液晶、２１８…画素電極、２２６、２２８…インバータ回路（メモリ回路）、２３２、２３４…トランスファーゲート（スイッチ回路）、１２００…携帯電話
【図１】
2006084847.tif 000003
【図２】
2006084847.tif 000004
【図３】
2006084847.tif 000005
【図４】
2006084847.tif 000006
【図５】
2006084847.tif 000007
【図６】
2006084847.tif 000008
【図７】
2006084847.tif 000009